(57)【要約】【課題】定着体上にケーブル導入装置を設置して定着体へケーブルを定着する場合において、定着体の上面で定着を行うことができるケーブルの定着具を得る。また、該ケーブル定着具を用いたケーブル定着方法を得る。【解決手段】定着桁３上に設置されたケーブル導入装置によってケーブル５を定着桁側に引き寄せて該定着桁３へケーブル５を定着する際に用いるケーブル定着具１であって、定着桁３の上方に突出する定着パイプ７と、定着パイプ７の先端部に設けられた第１ねじ部９と、ケーブル５の端部に設けられたケーブルソケット１１と、ケーブルソケット１１に取り付けられて定着パイプ７の第１ねじ部９にねじ接合される連結ロッド１３と、を備えてなる。【選択図】  図１
2008156970.tif 000002
【特許請求の範囲】
【請求項１】
定着体上に設置されたケーブル導入装置によってケーブルを前記定着体側に引き寄せて該定着体へケーブルを定着する際に用いるケーブル定着具であって、前記定着体の上方に突出する定着部材と、該定着部材の先端部に設けられた第１ねじ部と、前記ケーブルの端部に設けられたケーブルソケットと、該ケーブルソケットに取り付けられて前記定着部材の前記第１ねじ部にねじ接合される連結ロッドと、を備えてなることを特徴とするケーブル定着具。
【請求項２】
連結ロッドは、第１ねじ部に螺合する第２ねじ部が形成された本体部と、ケーブルソケット側に球面接触して連結される球面部とを備えていることを特徴とする請求項１に記載のケーブル定着具。
【請求項３】
連結ロッドは、ケーブルソケットに軸方向移動可能に取り付けられ、該軸方向移動可能長さは、連結ロッドに設けた第２ねじ部の長さ以上に設定されていることを特徴とする請求項１または２に記載のケーブル定着具。
【請求項４】
請求項１〜３のいずれか一項に記載のケーブル定着具を用いて定着体にケーブルを定着するケーブル定着方法であって、
定着体上に設置したケーブル導入装置によってケーブルソケットを定着部材側に押し込み、該定着部材の第１ねじ部と連結ロッドの第２ねじ部を螺合することによって、ケーブルを定着体に定着することを特徴とするケーブル定着方法。
【発明の詳細な説明】
【技術分野】
【０００１】
本発明は、橋梁や鉄塔などに設けられるケーブルを橋桁などの定着体に定着するケーブル定着具、および該ケーブル定着具を用いたケーブル定着方法に関する。
【背景技術】
【０００２】
鉄塔や橋梁においてはこれらを構成する主塔等の柱体と定着桁とを斜めに張設したケーブルで接続し、柱体の姿勢を安定させたり、あるいは橋桁を支持したりすることが行われている。
【０００３】
例えば、斜張橋は、水平に延びる主桁を、一定間隔毎に設置されたケーブルによって主塔で支持するように構成されている。このケーブルは、主塔の上部と主桁との間で斜めに張られ、一端が主塔の上部に定着され、他端が主桁に定着される。
【０００４】
かかる斜張橋においては、ケーブル端部を主桁に設けられたアンカーに導入させるケーブル引き込み方法、およびケーブル端部をアンカーに定着する定着方法が問題になる。
【０００５】
そして、ケーブル引き込み方法についての技術の流れは以下のようなものである。
以前は桁の内部にケーブル引込み装置を設置して行う方法が一般的であった。
しかし、この方法では桁内という狭い空間での作業になるため作業効率が非常に悪いという問題があった。
そこで、このような問題を解決するものとして、例えば、ケーブル端部を主桁のアンカーに導入する導入装置を、主桁の上フランジに配置し、ケーブルの端部を保持して、導入装置の下側に配されたアンカーへ導入させる装置が提案されている（特許文献１参照）。
【０００６】
この特許文献１のように、ケーブル引き込み方法に関する研究についてはすすんでいるが、その一方で、ケーブルを主桁に定着させる構造そのものについてはその開発がおよそ手つかずの状態であった。
【０００７】
図８は、従来から一般的に使用されているケーブル定着構造を示す図であり、アンカー５１を利用してケーブル５３の端部を、フランジ５４およびウェブ５６からなるＨ形の主桁５５に定着させる作業状態を示している。
【０００８】
図８に示されるように、この例におけるアンカー５１は、引き込みロッド５７が４本タイプのケーブル導入装置５９に対応するように形成されたものである。
アンカー５１には、主桁５５を構成するウェブ５６同士の間に配置され、その中央にケーブル５３を挿入させるための管状の挿入部６３が形成されている。また、その軸方向の下端側には外側方に張り出すフランジ部６５が設けられている。挿入部６３の周囲は板材６７に囲まれており、アンカー５１自体が大きなボックス状に形成されている。さらには、下端側に設けられたフランジ部６５は、挿入部６３から上下及び左右に向けてそれぞれ大きく張り出している。
そして、フランジ部６５の四隅にはケーブル導入装置５９の引き込みロッド５７の端部を取り付ける取付部６５ａが設けられている。
【０００９】
【特許文献１】特開平２−２４３８０８号公報
【発明の開示】
【発明が解決しようとする課題】
【００１０】
上記のように、ケーブルの導入方法についてはケーブル導入装置を主桁の上フランジに設置して行うことができるようになっていることから作業性が向上している。
他方、ケーブルの定着方法については、桁内で行うため、いまだに作業性の悪いものであった。
このような点は斜張橋におけるケーブル定着のみならず、他の分野においても同様に問題となっている。
【００１１】
本発明は係る課題を解決するためになされたものであり、定着体上にケーブル導入装置を設置して定着体へケーブルを定着する場合において、定着体の上面で定着を行うことができるケーブルの定着具を得ることを目的としている。また、該ケーブル定着具を用いたケーブル定着方法を得ることを目的としている。
【課題を解決するための手段】
【００１２】
（１）本発明に係るケーブル定着具は、定着体上に設置されたケーブル導入装置によってケーブルを前記定着体側に引き寄せて該定着体へケーブルを定着する際に用いるケーブル定着具であって、前記定着体の上方に突出する定着部材と、該定着部材の先端部に設けられた第１ねじ部と、前記ケーブルの端部に設けられたケーブルソケットと、該ケーブルソケットに取り付けられて前記定着部材の前記第１ねじ部にねじ接合される連結ロッドと、を備えてなることを特徴とするものである。
定着体とは、ケーブルを定着する構造物であって、例えば斜張橋における厚鋼板あるいは形鋼からなる主桁などである。
【００１３】
（２）また、上記（１）に記載のものにおいて、連結ロッドは、第１ねじ部に螺合する第２ねじ部が形成された本体部と、ケーブルソケット側に球面接触して連結される球面部とを備えていることを特徴とするものである。
ケーブルソケット側と球面接触するとは、ケーブルソケットに直接球面接触する場合の他、ケーブルソケットに設けた球面受け等の他の部材を介して球面接触する場合も含む。
【００１４】
（３）また、上記（１）または（２）に記載のものにおいて、連結ロッドは、ケーブルソケットに軸方向移動可能に取り付けられ、該軸方向移動可能長さは、連結ロッドに設けた第２ねじ部の長さ以上に設定されていることを特徴とするものである。
【００１５】
（４）また、上記（１）〜（３）のいずれかに記載のケーブル定着具を用いたケーブル定着方法であって、定着体上に設置したケーブル導入装置によってケーブルソケットを定着部材側に押し込み、該定着部材の第１ねじ部と連結ロッドの第２ねじ部を螺合することによって、ケーブルを定着体に定着することを特徴とするものである。
【発明の効果】
【００１６】
本発明においては、定着体上に設置されたケーブル導入装置によってケーブルを前記定着体側に引き寄せて該定着体へケーブルを定着する際に用いるケーブル定着具であって、前記定着体の上方に突出する定着部材と、該定着部材の先端部に設けられた第１ねじ部と、前記ケーブルの端部に設けられたケーブルソケットと、該ケーブルソケットに取り付けられて前記定着部材の前記第１ねじ部にねじ接合される連結ロッドと、を備えてなるので、定着体へのケーブル定着を定着体の上で行うことができ、作業性に優れる。
【発明を実施するための最良の形態】
【００１７】
［実施の形態１］
図１は本発明の一実施の形態に係るケーブル定着具１を分解した状態を示す斜視図、図２は図１に示したケーブル定着具１を組み立てた状態の断面図である。以下、図１、図２に基づいて本実施の形態に係るケーブル定着具１を説明する。
なお、以下においては、斜張橋における主塔（図示なし）と定着桁３との間に吊りケーブル５を張設する場合を例に挙げる。そして、以下の説明において前方とはケーブル５の端部が定着される定着桁側を言い、後方とはその反対側、すなわちケーブル５の他方の端部が定着される主塔側をいう。
また、ケーブル５の前端とは、ケーブル５の端部のうち定着側の端部をいい、後端とはケーブル５の端部のうち主塔側の端部をいう。
【００１８】
本実施の形態に係るケーブル定着具１は、定着桁３とケーブル５とを連結してケーブル５を定着桁３に定着するものであって、定着桁３の上部に突出する定着パイプ７と、定着パイプ７の先端部に設けられた第１ねじ部９と、ケーブル５の端部に設けられた円柱状のケーブルソケット１１と、ケーブルソケット１１に取り付けられて定着パイプ７の第１ねじ部９にねじ接合される連結ロッド１３と、を備えて構成される。
以下、各構成を詳細に説明する。
【００１９】
＜定着桁＞
定着桁３は、斜張橋においては、厚鋼板あるいは形鋼からなるものである。定着桁３には定着パイプ７が設置され、定着パイプ７と定着桁３とは一体化されている。
【００２０】
＜定着パイプ＞
定着パイプ７は定着桁３の上フランジのフランジ面上に上端部を突出させ、本体部は定着桁３の内部において定着桁３のウェブに接合されて、定着桁３と一体化されている。
定着パイプ７の上端部には内周面に第１ねじ部９が形成されたねじ形成部材１５が取り付けられている。
【００２１】
＜ケーブルソケット＞
ケーブルソケット１１は、ケーブル５の端部に取り付けられた外形が円柱状の部材であって、端面中央部が円柱状に凹んでおり、端部には円柱状の空間部１７が形成されている（図２参照）。空間部１７の軸方向の長さＬ1は、連結ロッド１３を設置した状態（図２に示す状態）で連結ロッド１３の後端面と空間部１７の底部との距離Ｌ2が連結ロッド１３に形成された第２ねじ部２５の長さＬ3よりも長くなるように設定されている。
空間部１７には、後述する連結ロッド１３の半球部１９と球面滑り軸受けを構成する球面受け２１が設置されている。
【００２２】
＜連結ロッド＞
連結ロッド１３は、円柱状の本体部２３と、本体部２３の後端側に形成された半球部１９とを有し、本体部２３に第２ねじ部２５が形成されている。この第２ねじ部２５が定着パイプ７に形成された第１ねじ部９に螺合する。
半球部１９の球面はケーブルソケット１１に設けられた球面受け２１と球面接触して球面滑り軸受けを構成する。
連結ロッド１３は、図２に示すように、ケーブルソケット側に取り付けられ、取り付け状態において、軸回りに回転可能になっている。また、半球部１９の後端面の後方に空間部１７が形成されているので、連結ロッド１３は軸方向にも移動可能になっている。さらに、半球部１９の球面が球面受け２１と球面滑り軸受けを形成しているので、連結ロッド１３の先端側は揺動可能になっている。
【００２３】
次に、以上のように構成されたケーブル定着具１によってケーブル５を定着桁３に定着する動作を説明する。一端側が主塔に定着されたケーブル５の他端側を定着桁３に定着するためには、ケーブル５の他端のケーブルソケット１１を定着パイプ７の近傍まで引き寄せる必要がある。ケーブルソケット１１を定着パイプ７の近くまで引き寄せる装置がケーブル押込み装置２７である。図３は、このようなケーブル押込み装置２７の平面図である。なお、ケーブル押込み装置２７はケーブル導入装置に相当するものである。
以下、ケーブル押込み装置２７の概要を説明する。
【００２４】
ケーブル押込み装置２７は、定着桁３の上に設置された支持台（図示なし）上に設置されている。
ケーブル押込み装置２７は、ケーブル５を係脱可能にチャックする固定チャック２９と、一端側が定着桁３に固定され他端側が固定チャック２９に固定された２本の反力ロッド３１と、固定チャック２９に固定された２個のジャッキ３３と、ジャッキ３３の伸縮ロッドに取り付けられて反力ロッド３１に沿って移動すると共にケーブル５を係脱可能にチャックする移動チャック３５と、を備えている。
図３に示す状態は、ケーブル５をケーブル押込み装置２７にセットした状態を示しており、ケーブルソケット１１を移動チャック３５の前方に配置して移動チャック３５でケーブル５をチャックした状態である。
ケーブル５は、前端に円筒状のケーブルソケット１１を有し、ケーブルソケット１１の後方側一定の範囲に亘ってケーブル５と一体化するように固定された段付の係合手段３７とを有している。
【００２５】
以上のように構成されたケーブル押込み装置２７においては、移動チャック３５によってケーブル５と一体化された係合手段３７をチャックした状態でジャッキ３３の伸縮ロッドを延出させて移動チャック３５を前方に押し出す。移動チャック３５を押し出すことによって、移動チャック３５にチャックされたケーブル５が定着桁３側に押し出される。ジャッキ３３の１ストローク分の押し出しが完了すると、固定チャック２９によって係合手段３７をチャックし、移動チャック３５と係合手段３７のチャックを解除する。そして、ジャッキ３３の伸縮ロッドを縮退させ、最も縮退させた状態で、再び係合手段３７を移動チャック３５でチャックし、固定チャック２９のチャックを解除して伸縮ロッドを延出させる。このような動作を繰り返すことによって、ジャッキ３３のストローク分づつケーブル５を定着桁側に押し込んでゆく。
【００２６】
図４は、上記のような押込み動作によって、ケーブルソケット１１を定着パイプ７の先端近傍まで近づけた状態を示している。図４に示すように、ケーブルソケット１１が定着パイプ７の近傍に近づくと、連結ロッド１３を押し上げて連結ロッド１３における球面部の後端面がケーブルソケット１１の空間後壁に近接する状態にする。
この状態から、連結ロッド１３の先端を定着パイプ７のねじ形成部に当接させてねじ込むようにする。このとき、連結ロッド１３はフリーな状態なので、軽い力でねじ込むことができる。また、連結ロッド１３が揺動可能なことから、ケーブル５と定着パイプ７の軸芯が多少ずれていてもねじ込むことができる。図５は、連結ロッド１３のねじを約半分ねじ込んだ状態を示している。
図６は、連結ロッド１３を定着パイプ７にさらにねじ込んで、球面部が球面座に接触した状態を示しており、定着完了の状態である。また、図７は図６と同じ状態の斜視図である。
【００２７】
この状態で、ケーブル押込み装置２７による固定チャック２９とケーブル５との係合を解除すると、ケーブル５と定着パイプ７の軸芯がずれていた場合には、連結ロッド１３の半球部１９の球面と球面受け２１との間で滑りが生じ、ケーブル５と定着パイプ７との軸芯が一致する。
【００２８】
以上のように、本実施の形態によれば、ケーブル５と定着桁３との定着を桁上で簡単に行うことができる。
また、連結ロッド１３をケーブルソケット１１に球面軸受けを介して取り付けているので、連結ロッド１３が揺動可能となり、連結ロッド１３と定着パイプ７の芯が多少ずれていたとしても両者の結合が可能である。
さらに、連結ロッド１３をケーブルソケット１１に球面軸受けを介して取り付けているので、定着後においてケーブル５が揺れた場合にも常に面接触することになり、安定した定着が実現される。
【００２９】
なお、上記の実施の形態においては、定着パイプ７に雌ねじが形成され、連結ロッド１３に雄ねじが形成された例を示したが、定着パイプ７に代えて定着部材を雄ねじが形成された中実の棒状体とし、連結ロッド側にこれに螺合する雌ねじを形成するようにしてもよい。
また、上記の実施の形態では、斜張橋のケーブル５を定着桁３に定着する場合について説明したが、ケーブル５の定着はこの場合にかぎられることはなく、ケーブル５の端部を種々の構造物に定着する場合に適用できる。
【図面の簡単な説明】
【００３０】
【図１】本発明の一実施の形態に係るケーブル定着具を分解した状態を示す斜視図
【図２】図１に示したケーブル定着具を組み立てた状態の断面図である。
【図３】ケーブル押込み装置の説明図である。
【図４】本発明の一実施の形態に係るケーブル定着具によってケーブルを定着桁に定着する動作説明図である。
【図５】本発明の一実施の形態に係るケーブル定着具によってケーブルを定着桁に定着する動作説明図である。
【図６】本発明の一実施の形態に係るケーブル定着具によってケーブルを定着桁に定着する動作説明図である。
【図７】本発明の一実施の形態に係るケーブル定着具によってケーブルを定着桁に定着した状態の斜視図である。
【図８】従来のケーブル定着構造を示す斜視図である。
【符号の説明】
【００３１】
１  ケーブル定着具
３  定着桁
５  ケーブル
９  第１ねじ部
１１  ケーブルソケット
１３  連結ロッド
１７  空間部
【図１】
2008156970.tif 000003
【図２】
2008156970.tif 000004
【図３】
2008156970.tif 000005
【図４】
2008156970.tif 000006
【図５】
2008156970.tif 000007
【図６】
2008156970.tif 000008
【図７】
2008156970.tif 000009
【図８】
2008156970.tif 000010